(57)【要約】【課題】分割タイプのフェライトコアを合体状態に保持する手段を備えたケースを、安価に製造する。【解決手段】ノイズフィルタＦａは、第１コア構成体１１Ａと第２コア構成体１１Ｂを合体した形態のフェライトコア１０と、第１コア構成体１１Ａと第２コア構成体１１Ｂの合せ面１２Ａ，１２Ｂに形成され、複数本の導電路Ｗを個別に挿通可能な複数の挿通孔１３と、フェライトコア１０を収容する合成樹脂製のケース２０とを備え、ケース２０は、第１コア構成体１１Ａの外周面を当接させる受け部２１と、受け部２１の周方向における端縁部から片持ち状に延出し、第２コア構成体１１Ｂの外周を受け部２１側へ弾性的に押圧する弾性押圧片２４とを備える。【選択図】図１
2016063137.tif 000002
【特許請求の範囲】
【請求項１】
第１コア構成体と第２コア構成体を合体した形態のフェライトコアと、
前記第１コア構成体と前記第２コア構成体の合せ面に形成され、複数本の導電路を個別に挿通可能な複数の挿通孔と、
前記フェライトコアを収容する合成樹脂製のケースとを備え、
前記ケースは、
前記第１コア構成体の外周面を当接させる受け部と、
前記受け部の周方向における端縁部から片持ち状に延出し、前記第２コア構成体の外周面を前記受け部側へ弾性的に押圧する弾性押圧片とを備えて構成されていることを特徴とするノイズフィルタ。
【請求項２】
前記受け部の端縁部に、前記受け部に収容された前記第１コア構成体が前記挿通孔の貫通方向に位置ずれすることを規制可能なストッパが形成されていることを特徴とする請求項１記載のノイズフィルタ。
【請求項３】
前記弾性押圧片に、前記弾性押圧片に押圧されている前記第２コア構成体が前記挿通孔の貫通方向に位置ずれすることを規制可能な規制部が形成されていることを特徴とする請求項１又は請求項２記載のノイズフィルタ。
【請求項４】
前記ケースのうち周方向における一部の領域に外嵌されるホルダを有し、
前記ホルダは、
前記弾性押圧片の外周に当接可能な高剛性部と、
前記高剛性部の周方向における端縁部から片持ち状に延出し、前記受け部の外周に対し弾性的に当接する低剛性部とを備えて構成されていることを特徴とする請求項１記載のノイズフィルタ。
【請求項５】
前記受け部と前記弾性押圧片には、前記ケースに収容された前記第１コア構成体と前記第２コア構成体が前記挿通孔の貫通方向と平行な一方向へ位置ずれすることを規制可能なケース側ストッパが形成され、
前記高剛性部と前記低剛性部には、前記ケースに収容された前記第１コア構成体と前記第２コア構成体が前記挿通孔の貫通方向において前記ケース側ストッパとは反対側へ位置ずれすることを規制可能なホルダ側ストッパが形成されていることを特徴とする請求項４記載のノイズフィルタ。
【発明の詳細な説明】
【技術分野】
【０００１】
本発明は、ノイズフィルタに関するものである。
【背景技術】
【０００２】
特許文献１には、導電路を包囲するフェライトコアをケース内に収容したノイズフィルタが開示されている。フェライトコアは、半円筒形をなす一対のコア構成体を合体させて構成されている。ケースは、合成樹脂製であり、ヒンジで連結された一対のケース構成体を合体させて構成されている。ケース構成体には、その一部をフェライトコアの外周面に向かって突出させた形態の弾性押圧片が形成されており、ケース構成体を合体させると、弾性押圧片がコア構成体の外周面を中心側へ弾性的に押圧するようになっている。この弾性押圧片の押圧作用によって一対のコア構成体が密着状態に保持され、ノイズ除去機能の信頼性が高められている。
【先行技術文献】
【特許文献】
【０００３】
【特許文献１】特開２０１３−１１０１７０号公報
【発明の概要】
【発明が解決しようとする課題】
【０００４】
ケースのうち弾性押圧片が形成されている領域においては、弾性押圧片が弾性変形することを許容するため、ケースと弾性押圧片との間にスリットが形成されている。このスリットはケースを部分的に除去した形態であるため、ケースを成形するための金型の構造が複雑になる。これは、ケースの製造コストが高くなることを意味するため、改善が望まれる。
【０００５】
本発明は上記のような事情に基づいて完成されたものであって、分割タイプのフェライトコアを合体状態に保持する手段を備えたケースを、安価に製造することを目的とする。
【課題を解決するための手段】
【０００６】
本発明のノイズフィルタは、
第１コア構成体と第２コア構成体を合体した形態のフェライトコアと、
前記第１コア構成体と前記第２コア構成体の合せ面に形成され、複数本の導電路を個別に挿通可能な複数の挿通孔と、
前記フェライトコアを収容する合成樹脂製のケースとを備え、
前記ケースは、
前記第１コア構成体の外周面を当接させる受け部と、
前記受け部の周方向における端縁部から片持ち状に延出し、前記第２コア構成体の外周面を前記受け部側へ弾性的に押圧する弾性押圧片とを備えて構成されているところに特徴を有する。
【発明の効果】
【０００７】
第１コア構成体と第２コア構成体を合体状態に保持する手段である弾性押圧片は、受け部の周方向における端縁部から片持ち状に延出した形態であるから、ケースには、部分的に除去した形態のスリットを形成する必要がない。したがって、ケースを成形するための金型の構造を簡素化して、ケースの製造コスト低減を実現することができる。
【図面の簡単な説明】
【０００８】
【図１】実施例１のノイズフィルタを導電路に取り付けた状態をあらわす正面図
【図２】ノイズフィルタを導電路に取り付けた状態をあらわす一部切欠右側面図
【図３】図２のＸ−Ｘ線断面図
【図４】実施例２のノイズフィルタを導電路に取り付けた状態を軸線と直角に切断してあらわした断面図
【図５】ケース単体の正面図
【図６】ケース単体の右側面図
【図７】ホルダの正面図
【図８】ホルダの左側面図
【発明を実施するための形態】
【０００９】
（１）本発明のノイズフィルタは、前記受け部の端縁部に、前記受け部に収容された前記第１コア構成体が前記挿通孔の貫通方向に位置ずれすることを規制可能なストッパが形成されていてもよい。  
この構成によれば、第１コア構成体が挿通孔の貫通方向に移動して受け部から離脱することを防止できる。
【００１０】
（２）本発明のノイズフィルタは、前記弾性押圧片に、前記弾性押圧片に押圧されている前記第２コア構成体が前記挿通孔の貫通方向に位置ずれすることを規制可能な規制部が形成されていてもよい。  
この構成によれば、第２コア構成体が挿通孔の貫通方向に移動して弾性押圧片から離脱することを防止できる。
【００１１】
（３）本発明のノイズフィルタは、前記ケースのうち周方向における一部の領域に外嵌されるホルダを有し、前記ホルダは、前記弾性押圧片の外周に当接可能な高剛性部と、前記高剛性部の周方向における端縁部から片持ち状に延出し、前記受け部の外周に対し弾性的に当接する低剛性部とを備えて構成されていてもよい。  
この構成によれば、弾性押圧片が径方向外方へ拡開変形することを規制できるので、第１コア構成体と第２コア構成体を確実に密着状態に保持することができる。
【００１２】
（４）本発明のノイズフィルタは、（３）において、前記受け部と前記弾性押圧片には、前記ケースに収容された前記第１コア構成体と前記第２コア構成体が前記挿通孔の貫通方向と平行な一方向へ位置ずれすることを規制可能なケース側ストッパが形成され、前記高剛性部と前記低剛性部には、前記ケースに収容された前記第１コア構成体と前記第２コア構成体が前記挿通孔の貫通方向において前記ケース側ストッパとは反対側へ位置ずれすることを規制可能なホルダ側ストッパが形成されていてもよい。  
この構成によれば、ケースにコア構成体を収容する際の作業が容易となる。そして、ケースとホルダを組み付けた状態では、ケース内のフェライトコアを、ケース側ストッパとホルダ側ストッパとの間で挟むことにより収容状態に保持することができる。
【００１３】
＜実施例１＞
以下、本発明を具体化した実施例１を図１〜図３を参照して説明する。本実施例１において、前後の方向については、図２における左方を前方と定義する。また、左右方向及び上下方向については、図１，３にあらわれる向きを、そのまま右方、左方、上方、下方と定義する。また、周方向は、フェライトコア１０の外周面に沿った方向と定義する。
【００１４】
本実施例１のノイズフィルタＦａは、図１，３に示すように、２本の導電路Ｗを包囲し、その両導電路Ｗのノイズを除去するものである。導電路Ｗとしては、複数本の電線を束ねたワイヤーハーネス、１本の電線からなるもの、電線をコルゲートチューブで包囲したもの等がある。ノイズフィルタＦａは、フェライトコア１０と、ケース２０とを備えて構成されている。
【００１５】
＜フェライトコア１０＞
図１，３に示すように、導電路Ｗの軸線と平行に見た正面視において、フェライトコア１０は、縦長の長円をなし、上下対称且つ左右対称な形状である。フェライトコア１０の外周は、上下２つの半円弧面を上下方向の２つの平面で結んだ形状である。フェライトコア１０は、その外周の直線領域と平行な面を合せ面１２Ａ，１２Ｂとする第１コア構成体１１Ａと第２コア構成体１１Ｂとを合体させて構成されている。第１コア構成体１１Ａと第２コア構成体１１Ｂは、左右対称な形状である。
【００１６】
フェライトコア１０には、前後方向に貫通する上下２つの挿通孔１３が、上下対称に形成されている。各挿通孔１３は、両コア構成体１１Ａ，１１Ｂの合せ面１２Ａ，１２Ｂに形成した半円形の凹部１４Ａ，１４Ｂによって円形に構成されている。上側の挿通孔１３は、フェライトコア１０の外周を構成する上側の半円と同心の円形をなし、下側の挿通孔１３は、フェライトコア１０の外周を構成する下側の半円と同心の円形をなす。
【００１７】
挿通孔１３の内径は導電路Ｗの外径よりも少し大きい寸法に設定されている。この２つの挿通孔１３には、夫々、２本の導電路Ｗが個別に挿通されている。フェライトコア１０による導電路Ｗのノイズ除去機能を十分に発揮させるためには、両コア構成体１１Ａ，１１Ｂの合せ面１２Ａ，１２Ｂ同士を互いに密着させることが好ましい。後述するケース２０には、両コア構成体１１Ａ，１１Ｂの合せ面１２Ａ，１２Ｂ同士を密着させるための手段が設けられている。
【００１８】
＜ケース２０＞
ケース２０は、合成樹脂製からなり、上下対称な形状の単一部品である。ケース２０は、ケース２０の左半分領域に配された半長円筒形をなす受け部２１と、受け部２１よりも肉薄の上下対称な一対の弾性押圧片２４とを備えて構成されている。前後方向（導電路Ｗの軸線方向と平行であり、且つ挿通孔１３の貫通方向と平行な方向）における弾性押圧片２４の形成領域は、受け部２１の形成領域と同じ範囲となっている。
【００１９】
周方向における受け部２１の形成領域は、第１コア構成体１１Ａの外周面全領域に亘る範囲（半長円形領域）である。つまり、受け部２１は、上下一対の四半円弧状板部２２と、この両四半円弧状板部２２を連結する平板部２３とから構成されている。四半円弧状板部２２の内周面の曲率半径は、フェライトコア１０（第１コア構成体１１Ａ）の外周の弧状面の曲率半径とほぼ同じ寸法である。受け部２１には、第１コア構成体１１Ａがその外周面の全領域を受け部２１の内周面の全領域に密着させた状態で取り付けられるようになっている。
【００２０】
一対の弾性押圧片２４は、受け部２１の上下両端縁（四半円弧状板部２２）から周方向に沿って斜め右方へ片持ち状に延出した形態である。周方向における１つの弾性押圧片２４の形成領域は、１／４周（９０°）よりも小さい範囲である。これにより、上下両弾性押圧片２４の延出端縁部２４Ｅ同士の間には、ケース２０の前後両端及び右側面に開放された周面開口部２５が形成されている。
【００２１】
弾性押圧片２４の周方向における基端縁部の内周面と、四半円弧状板部２２の内周面とは、滑らかに連続するように（つまり、曲率が大きく変化したり、段差が生じないように形態で）連なっている。フェライトコア１０をケース２０に取り付ける前の状態において、弾性押圧片２４の内周面の曲率半径は、第２コア構成体１１Ｂの外周面における曲面部の曲率半径よりも少し小さい寸法に設定されている。
【００２２】
受け部２１は、その厚さ寸法が比較的大きく設定されているため、曲率を変化させるような変形を殆ど生じない。これに対し、弾性押圧片２４は、その厚さ寸法が受け部２１よりも小さく設定されているので、その基端縁部を略支点として径方向へ変位するように（つまり、拡径するように）弾性撓みし得るようになっている。弾性押圧片２４の弾性撓みに伴い、弾性押圧片２４の延出端縁部２４Ｅが径方向外方へ変位し、弾性押圧片２４には、その延出端縁部２４Ｅを受け部２１（ケース２０）の内側方向へ変位させるような付勢力が蓄勢されるようになっている。
【００２３】
受け部２１の前端部（挿通孔１３の貫通方向における一方の端部）には、ストッパ２６が形成されている。ストッパ２６は、受け部２１の内周から内側（ケース２０の中心側）へ板状に延出した形態である。周方向におけるストッパ２６の形成領域は、受け部２１の形成領域と同じ範囲である。ストッパ２６には、導電路Ｗとの干渉を回避する手段として、半円形をなす上下２つの切欠部２７が挿通孔１３と対応するように形成されている。
【００２４】
ストッパ２６の後面から受け部２１の後端までの長さは、フェライトコア１０（コア構成体，）の軸線方向の長さと同じか、それよりも僅かに小さい寸法に設定されている。ケース２０の前面のうちストッパ２６で覆われていない右側の略半長円形領域は、ケース２０の内外を連通させる前面開口部２８Ｆとなっている。ケース２０の後面は、その全領域に亘って開口され、ケース２０の内外を連通させる長円形の後面開口部２８Ｒとなっている。ケース２０は、前後方向に型開きされる金型（図示省略）によって成形することができるので、スライド型は不要である。
【００２５】
弾性押圧片２４の延出端縁部２４Ｅには、その前端縁（前後方向においてストッパ２６と同じ側の端縁）から径方向内向きに突出した形態の規制部２９が形成されている。規制部２９の後面とストッパ２６の後面は、前後方向において同じ位置に配されている。つまり、規制部２９の後面から受け部２１の後端までの長さは、ストッパ２６と同様、フェライトコア１０（コア構成体，）の前後方向の寸法と同じか、それよりも僅かに小さい寸法に設定されている。
【００２６】
＜実施例１の作用及び効果＞
ノイズフィルタＦａを導電路Ｗに取り付ける際には、まず、後面開口部２８Ｒからケース２０内に第１コア構成体１１Ａを収容し、収容した第１コア構成体１１Ａを受け部２１に当接させる。ケース２０内に収容した第１コア構成体１１Ａは、ストッパ２６に当接することにより、前方への相対移動を規制される。次に、周面開口部２５からケース２０内に２本の導電路Ｗを収容し、収容した導電路Ｗを第１コア構成体１１Ａの凹部１４Ａに嵌合する。この後、後面開口部２８Ｒから第２コア構成体１１Ｂをケース２０内に取り付ける。
【００２７】
このとき、上下両弾性押圧片２４を斜め右方へ拡径変形させることにより、第２コア構成体１１Ｂと弾性撓みとの干渉を回避することができる。第２コア構成体１１Ｂは、ケース２０内のうち第１コア構成体１１Ａよりも右方の空き空間に収容される。ケース２０内に収容された第２コア構成体１１Ｂは、その前端面における外周縁に規制部２９が係止することにより、第１コア構成体１１Ａと同様、ケース２０に対する前方への相対変位を規制される。
【００２８】
第２コア構成体１１Ｂがケース２０に取り付けられると、弾性押圧片２４が、第２コア構成体１１Ｂの外周面に対し、左方（第１コア構成体１１Ａ側）へ弾性的に押圧する。この弾性押圧片２４による弾性押圧作用により、両コア構成体１１Ａ，１１Ｂが受け部２１と弾性押圧片２４との間で左右方向（両コア構成体１１Ａ，１１Ｂを合体する方向と平行な方向）に挟み付けられ、両コア構成体１１Ａ，１１Ｂの合せ面１２Ａ，１２Ｂ同士が密着する。また、弾性押圧部の弾力に起因する摩擦により、両コア構成体１１Ａ，１１Ｂはケース２０内に保持される。
【００２９】
以上により、両コア構成体１１Ａ，１１Ｂが合体してフェライトコア１０が構成されると同時に、ケース２０に対するフェライトコア１０の取付け（ノイズフィルタＦａの組付け）が完了し、併せて、導電路ＷへのノイズフィルタＦａの仮組み作業も完了する。この後は、粘着性を有するテープＴをケース２０の外周に巻き付けることにより、弾性押圧片２４の拡径変形を防止する。また、図示は省略するが、ケース２０の前後両端部から導電路Ｗに亘ってテープを巻き付ける。以上により、導電路Ｗに対するフェライトコア１０の取付け作業が完了する。
【００３０】
本実施例１のノイズフィルタＦａは、第１コア構成体１１Ａと第２コア構成体１１Ｂを合体して構成されるフェライトコア１０と、第１コア構成体１１Ａと第２コア構成体１１Ｂの合せ面１２Ａ，１２Ｂに形成され、複数本の導電路Ｗを個別に挿通可能な複数の挿通孔１３と、フェライトコア１０を合体状態に保持する手段を備えた合成樹脂製のケース２０とを備えたものであり、ケース２０を安価に製造することを課題としている。そして、その課題解決手段として、ケース２０は、第１コア構成体１１Ａの外周面を当接させる受け部２１と、受け部２１の周方向における端縁部から片持ち状に延出し、第２コア構成体１１Ｂの外周を受け部２１側へ弾性的に押圧する弾性押圧片２４とを備えている。
【００３１】
弾性押圧片２４は、第１コア構成体１１Ａと第２コア構成体１１Ｂを合体状態に保持する手段として機能するのであるが、この弾性押圧片２４は、受け部２１の周方向における上下端縁部から片持ち状に延出した形態である。したがって、ケース２０には、部分的に除去した形態のスリットを形成する必要がなく、ケース２０を成形するための金型（図示省略）の構造を簡素化して、ケース２０の製造コスト低減を実現することができる。
【００３２】
また、受け部２１の前端縁部には、受け部２１に収容された第１コア構成体１１Ａが前方（挿通孔１３の貫通方向と平行な方向）に位置ずれすることを規制可能なストッパ２６が形成されているので、第１コア構成体１１Ａが受け部２１から前方へ離脱することを防止できる。さらに、弾性押圧片２４の前端部には、弾性押圧片２４に押圧されている第２コア構成体１１Ｂが前方（挿通孔１３の貫通方向と平行な方向）へ位置ずれすることを規制可能な規制部２９が形成されているので、第２コア構成体１１Ｂが前方に移動して弾性押圧片２４から離脱することも防止できる。
【００３３】
＜実施例２＞
次に、本発明を具体化した実施例２を図４〜図８を参照して説明する。本実施例２において、前後の方向については、図６における左方を前方、図８における右方を前方と定義する。また、左右方向及び上下方向については、図４，５，７にあらわれる向きを、そのまま右方、左方、上方、下方と定義する。また、周方向は、フェライトコア１０の外周面に沿った方向と定義する。
【００３４】
本実施例２のノイズフィルタＦｂは、図４に示すように、２本の導電路Ｗのノイズを除去するものである。ノイズフィルタＦｂは、フェライトコア１０と、ケース３０と、ホルダ４０とを備えて構成されている。導電路Ｗとフェライトコア１０は、実施例１と同じものであるから説明は省略する。
【００３５】
＜ケース３０＞
ケース３０は、合成樹脂製からなり、上下対称な形状の単一部品である。ケース３０は、ケース３０の左半分領域に配された略半長円筒形をなす受け部３１と、受け部３１よりも肉薄の上下対称な一対の弾性押圧片３５とを備えて構成されている。前後方向（導電路Ｗの軸線方向と平行であり、且つ挿通孔１３の貫通方向と平行な方向）における弾性押圧片３５の形成領域は、受け部３１の形成領域と同じ範囲となっている。
【００３６】
周方向における受け部３１の形成領域は、第１コア構成体１１Ａの外周面全領域に亘る範囲（半長円形領域）である。つまり、受け部３１は、上下一対の四半円弧状板部３２と、この両四半円弧状板部３２を連結する平板部３３とから構成されている。四半円弧状板部３２の内周面の曲率半径は、フェライトコア１０（第１コア構成体１１Ａ）の外周の弧状面の曲率半径とほぼ同じ寸法である。受け部３１には、第１コア構成体１１Ａがその外周面の全領域を受け部３１の内周面の全領域に密着させた状態で取り付けられるようになっている。平板部３３の外周には、後述する低剛性部４４の外周面と段差が生じないようにするための膨出部３４が形成されている。
【００３７】
一対の弾性押圧片３５は、受け部３１の上下両端縁部（四半円弧状板部３２）から周方向に沿って斜め右方へ片持ち状に延出した形態である。周方向における１つの弾性押圧片３５の形成領域は、１／４周（９０°）よりも小さい範囲である。したがって、上下両弾性押圧片３５の延出端縁部３５Ｅ同士の間には、ケース３０の前後両端及び右側面に開放された形態の右周面開口部３６が形成されている。
【００３８】
弾性押圧片３５の周方向における基端縁部の内周面と、四半円弧状板部３２の内周面とは、滑らかに連続するように（つまり、曲率が大きく変化したり、段差が生じないように形態で）連なっている。フェライトコア１０をケース３０に取り付ける前の状態において、弾性押圧片３５の内周面の曲率半径は、第２コア構成体１１Ｂの外周面における曲面領域の曲率半径よりも少し小さい寸法に設定されている。弾性押圧片３５の外周面の曲率半径は、四半円弧板部の外周面の曲率半径よりも小さい寸法となっている。そして、ケース３０の外周面のうち受け部３１と弾性押圧片３５との境界部分は、段差状をなしている。
【００３９】
受け部３１は、その厚さ寸法が比較的大きく設定されているため、曲率を変化させるような変形を殆ど生じない。これに対し、弾性押圧片３５は、その厚さ寸法が受け部３１よりも小さく設定されているので、その基端縁部を略支点として径方向へ変位するように（つまり、拡径するように）弾性撓みし得るようになっている。弾性押圧片３５の弾性撓みに伴い、弾性押圧片３５の延出端縁部３５Ｅが径方向へ変位し、弾性押圧片３５には、その延出端縁部３５Ｅを受け部３１（ケース３０）の内側へ変位させるような径方向内向きの付勢力が蓄勢されるようになっている。
【００４０】
ケース３０の前端部（挿通孔１３の貫通方向における一方の端部）には、ケース側ストッパ３７が形成されている。周方向におけるケース側ストッパ３７の形成範囲は、受け部３１の形成領域と上下両弾性押圧片３５の基端部とを含む範囲（つまり、第１コア構成体１１Ａの存在領域よりも広い範囲）である。ケース側ストッパ３７は、受け部３１及び弾性押圧片３５からケース３０の内側へ板状に延出した形態である。ケース側ストッパ３７には、導電路Ｗとの干渉を回避する手段として、半円形をなす上下２つの切欠部３８が挿通孔１３と対応するように形成されている。
【００４１】
ケース側ストッパ３７の後面から受け部３１の後端までの寸法は、フェライトコア１０（第１コア構成体１１Ａ）の軸線方向の長さ寸法と同じか、それよりも僅かに大きい寸法に設定されている。ケース３０の後端面（ケース側ストッパ３７が形成されていない側の端面）は、全領域に亘って開放された後面開口部３９となっている。
【００４２】
＜ホルダ４０＞
ホルダ４０は、合成樹脂製からなり、上下対称な形状の単一部品である。図７，８に示すように、ホルダ４０は、ケース３０の右半分領域に配された略半長円筒形の高剛性部４１と、上下対称な一対の低剛性部４４とを備えて構成されている。前後方向（軸線方向）における低剛性部４４の形成領域は、高剛性部４１の形成領域と同じ範囲である。
【００４３】
周方向における高剛性部４１の形成領域は、第２コア構成体１１Ｂの外周面全領域に亘る範囲（半長円形領域）である。つまり、高剛性部４１は、上下一対の四半円弧形をなす板状の弧状面部４２と、この上下両弧状面部４２を連結する平板からなる平面部４３とから構成されている。弧状面部４２の内周面の曲率半径は、フェライトコア１０（第２コア構成体１１Ｂ）の外周の弧状面の曲率半径とほぼ同じ寸法である。高剛性部４１には、第２コア構成体１１Ｂがその外周面の全領域を高剛性部４１の内周面の全領域に密着させた状態で取り付けられるようになっている。高剛性部４１の板厚は、その全領域に割って一定である。
【００４４】
一対の低剛性部４４は、高剛性部４１の周方向における両端縁部から周方向に沿って斜め左方へ片持ち状に延出した形態である。周方向における１つの低剛性部４４の形成領域は、１／４周（９０°）よりも小さい範囲であり、受け部３１の四半円弧状板部３２と対応する範囲である。上下両低剛性部４４の延出端縁部４４Ｅ同士の間には、ホルダ４０の前後両端と左側面に開放された左周面開口部４５が形成されている。この左周面開口部４５は、周方向において、ケース３０の膨出部３４と対応する。
【００４５】
低剛性部４４の周方向における基端縁部の内周面と、弧状面部４２の内周面とは、段差状をなすように連なっている。これは、高剛性部４１が弾性押圧片３５の外周面と対向するように配され、低剛性部４４が、弾性押圧片３５の外周面よりも曲率半径の大きい四半円弧状板部３２の外周面と対向するように配されるからである。つまり、低剛性部４４の内周面の曲率半径は、弧状面部４２の内周面の曲率半径よりも大きく設定されている。ホルダ４０をケース３０に取り付ける前の状態において、低剛性部４４の内周面の曲率半径は、四半円弧状板部３２の外周面の曲率半径よりも少し小さい寸法に設定されている。
【００４６】
高剛性部４１は、その厚さ寸法が比較的大きく設定されているため、曲率を変化させるような変形を殆ど生じない。これに対し、低剛性部４４は、その厚さ寸法が高剛性部４１よりも小さく設定されているので、その基端縁部を略支点として径方向へ変位するように（つまり、拡径するように）弾性撓みし得るようになっている。低剛性部４４の弾性撓みに伴い、低剛性部４４の延出端縁部４４Ｅが径方向外方へ変位し、低剛性部４４には、その延出端縁部４４Ｅを高剛性部４１（ホルダ４０）の内側方向へ変位させるような付勢力が蓄勢されるようになっている。
【００４７】
ホルダ４０の後端部（挿通孔１３の貫通方向における他方の端部）には、ホルダ側ストッパ４６が形成されている。周方向におけるホルダ側ストッパ４６の形成範囲は、高剛性部４１の内周の全領域と上下両低剛性部４４の基端部に亘る範囲（つまり、第２コア構成体１１Ｂの存在領域よりも広い範囲）である。ホルダ側ストッパ４６は、高剛性部４１及び低剛性部４４からホルダ４０の内側へ板状に延出した形態である。ホルダ側ストッパ４６には、導電路Ｗとの干渉を回避する手段として、半円形をなす上下２つの切欠部４７が挿通孔１３と対応するように形成されている。
【００４８】
ホルダ側ストッパ４６の前面から高剛性部４１の前端までの寸法は、フェライトコア１０（第２コア構成体１１Ｂ）の軸線方向の長さと寸法と同じか、それよりも僅かに大きい寸法に設定されている。ホルダ４０の前端面（ホルダ側ストッパ４６が形成されていない側の端面）は、全領域に亘って開放された前面開口部４８となっている。
【００４９】
＜実施例２の作用及び効果＞
本実施例２のノイズフィルタＦｂを導電路Ｗに取り付ける際には、まず、後面開口部３９からケース３０内に第１コア構成体１１Ａを収容し、収容した第１コア構成体１１Ａを受け部３１に当接させる。ケース３０内に収容した第１コア構成体１１Ａは、ケース側ストッパ３７に当接することにより、前方への相対移動を規制される。次に、右周面開口部３６からケース３０内に２本の導電路Ｗを収容し、収容した導電路Ｗを第１コア構成体１１Ａの凹部１４Ａに嵌合する。この後、後面開口部３９から第２コア構成体１１Ｂをケース３０内に取り付ける。
【００５０】
このとき、上下両弾性押圧片３５を斜め右方へ拡径変形させることにより、第２コア構成体１１Ｂと弾性撓みとの干渉を回避することができる。第２コア構成体１１Ｂは、ケース３０内のうち第１コア構成体１１Ａよりも右方の空き空間に収容される。ケース３０内に収容された第２コア構成体１１Ｂは、その前端面における上下両端部をケース側ストッパ３７に当接させることにより、第１コア構成体１１Ａと同じく前方への相対移動を規制される。
【００５１】
第２コア構成体１１Ｂがケース３０に取り付けられると、弾性押圧片３５が、第２コア構成体１１Ｂの外周面に対し、左方（第１コア構成体１１Ａ側）へ弾性的に当接する。この弾性押圧片３５の弾性押圧作用により、両コア構成体１１Ａ，１１Ｂが受け部３１と弾性押圧片３５との間で左右方向（両コア構成体１１Ａ，１１Ｂを合体させる方向と平行な方向）に挟み付けられ、両コア構成体１１Ａ，１１Ｂの周方向における合せ面１２Ａ，１２Ｂ同士が密着する。以上により、両コア構成体１１Ａ，１１Ｂが合体してフェライトコア１０が構成されると同時に、ケース３０に対するフェライトコア１０の取付け（ノイズフィルタＦｂの組付け）が完了し、併せて、導電路Ｗへのケース３０及びフェライトコア１０の仮組み作業も完了する。
【００５２】
この後、ケース３０に対し、その後方からホルダ４０をスライドさせるようにして組み付ける。組付けに際しては、高剛性部４１を上下両弾性押圧片３５の外周面に摺接させるとともに、上下両低剛性部４４を左方へ弾性的に拡径変形させて受け部３１の四半円弧状板部３２に摺接させる。ケース３０とホルダ４０をスライドさせ、ホルダ側ストッパ４６の前面がフェライトコア１０の後端面に当接すると、ケース３０とホルダ４０の組付けが完了する。これと同時、ノイズフィルタＦｂの組付けが完了する。ケース３０内のフェライトコア１０は、ケース側ストッパ３７とホルダ側ストッパ４６との間で前後方向に挟まれるので、前後方向（軸線方向）への移動を規制された状態でケース３０内に保持される。
【００５３】
そして、低剛性部４４が、受け部３１の外周面に対し右方へ弾性的に当接する。この低剛性部４４の弾性押圧作用により、受け部３１と弾性押圧片３５が、高剛性部４１と低剛性部４４との間で左右方向に挟み付けられ、ひいては、両フェライトコア１０も左右方向（両コア構成体１１Ａ，１１Ｂを合体させる方向と平行な方向）に挟み付けられる。これにより、両コア構成体１１Ａ，１１Ｂの周方向における合せ面１２Ａ，１２Ｂ同士が、より確実に密着する。
【００５４】
組付けが完了した後は、粘着性を有するテープＴをホルダ４０の外周とケース３０の膨出部３４の外周に巻き付けることにより、弾性押圧片３５の拡径変形と低剛性部４４の拡径変形を防止する。また、図示は省略するが、ノイズフィルタＦｂの前後両端部から導電路Ｗに亘ってテープを巻き付ける。以上により、導電路Ｗに対するフェライトコア１０の取付け作業が完了する。
【００５５】
本実施例２のノイズフィルタＦｂは、第１コア構成体１１Ａと第２コア構成体１１Ｂを合体して構成される筒形のフェライトコア１０と、第１コア構成体１１Ａと第２コア構成体１１Ｂの合せ面１２Ａ，１２Ｂに形成され、複数本の導電路Ｗを個別に挿通可能な複数の挿通孔１３と、フェライトコア１０を合体状態に保持する手段を備えた合成樹脂製のケース３０とを備えたものであり、ケース３０を安価に製造することを課題としている。そして、その課題解決手段として、ケース３０は、第１コア構成体１１Ａの外周面を当接させる受け部３１と、受け部３１の周方向における端縁部から片持ち状に延出し、第２コア構成体１１Ｂの外周を受け部３１側へ弾性的に押圧する弾性押圧片３５とを備えている。
【００５６】
弾性押圧片３５は、第１コア構成体１１Ａと第２コア構成体１１Ｂを合体状態に保持する手段として機能するのであるが、この弾性押圧片３５は、受け部３１の周方向における端縁部から片持ち状に延出した形態である。したがって、ケース３０には、部分的に除去した形態のスリットを形成する必要がなく、ケース３０を成形するための金型（図示省略）の構造を簡素化して、ケース３０の製造コスト低減を実現することができる。
【００５７】
また、本実施例２のノイズフィルタＦｂは、ケース３０のうち周方向における一部の領域に外嵌されるホルダ４０を有している。このホルダ４０は、弾性押圧片３５の外周に当接可能な高剛性部４１と、高剛性部４１の周方向における端縁部から片持ち状に延出し、受け部３１の外周に対し弾性的に当接する低剛性部４４とを備えて構成されている。したがって、弾性押圧片３５が径方向外方へ拡開変形することは、低剛性部４４に蓄勢される内向きの弾性復元力により、確実に規制できる。これにより、第１コア構成体１１Ａと第２コア構成体１１Ｂを確実に密着状態に保持することができる。
【００５８】
さらに、ケース３０（受け部３１と弾性押圧片３５）の前端縁部にケース側ストッパ３７を形成し、このケース側ストッパ３７により、ケース３０に収容された第１コア構成体１１Ａと第２コア構成体１１Ｂの両方が、挿通孔１３の貫通方向における前方へ位置ずれすることを規制している。また、ケース３０の後端部には、その全領域に亘って後面開口部３９が開口しているので、ケース３０に第１コア構成体１１Ａを収容する作業を容易に行うことができる。しかも、ケース３０を、前後方向に型開きされる金型だけで成形することができ、スライド型が不要である。
【００５９】
一方、ホルダ４０（高剛性部４１と低剛性部４４）の後端部にホルダ側ストッパ４６を形成し、このホルダ側ストッパ４６により、ケース３０に収容された第１コア構成体１１Ａと第２コア構成体１１Ｂの両方が、挿通孔１３の貫通方向における後方（ケース側ストッパ３７とは反対側）へ位置ずれすることを規制している。また、ホルダ４０の前端部には、その全領域に亘って前面開口部４８が開口しているので、ホルダ４０も、ケース３０と同様、前後方向に型開きされる金型だけで成形することができ、スライド型が不要である。そして、ケース３０とホルダ４０を組み付けた状態では、ケース３０内のフェライトコア１０を、ケース側ストッパ３７とホルダ側ストッパ４６との間で挟むことにより収容状態に保持することができる。
【００６０】
＜他の実施例＞
本発明は上記記述及び図面によって説明した実施例に限定されるものではなく、例えば次のような実施例も本発明の技術的範囲に含まれる。  
（１）上記実施例１では、受け部にストッパを形成したが、受け部にストッパを形成しない形態としてもよい。  
（２）上記実施例１では、弾性押圧片に規制部を形成したが、弾性押圧片に規制部を形成しない形態としてもよい。  
（３）上記実施例１のケースに、実施例２と同様に高剛性部と低剛性部を備えたホルダを外嵌してもよい。この場合、ホルダのホルダ側ストッパをそのまま残し、実施例１のケースに形成した一対のストッパ及び規制部のうち、軸線方向においてホルダ側ストッパと同じ側のストッパと規制部を除去してもよい。あるいは、一対のストッパ及び規制部をそのまま残し、ホルダからホルダ側ストッパを除去してもよい。  
（４）上記実施例２では、第１コア構成体と第２コア構成体が挿通孔の貫通方向に移動することを規制する手段として、ケースにケース側ストッパを形成し、ホルダにホルダ側ストッパを形成したが、ケースのみに一対のストッパを形成してもよく、ホルダのみに一対のストッパを形成してもよい。  
（５）上記実施例１，２では、受け部の周方向における両端縁部から一対の弾性押圧片を延出させたが、弾性押圧片は、受け部の周方向におけるいずれか一方の端縁部のみから延出する形態であってもよい。  
（６）上記実施例１，２では、フェライトコアとケースの外周面を長円形としたが、フェライトコアとケースの外周面は、楕円形、真円形、多角形等であってもよい。  
（７）上記実施例１，２では、フェライトコアに挿通する導電路を２本としたが、フェライトコアに挿通する導電路の本数は、３本以上でもよい。  
（８）上記実施例１，２では、２本の導電路が並列配置した状態でフェライトコアに挿通されているが、導電路が３本以上の場合は、導電路を俵積み状や多段状に配置してもよい。
【符号の説明】
【００６１】
Ｆａ…ノイズフィルタ
Ｗ…導電路
１０…フェライトコア
１１Ａ…第１コア構成体
１１Ｂ…第２コア構成体
１２Ａ，１２Ｂ…合せ面
１３…挿通孔
２０…ケース
２１…受け部
２４…弾性押圧片
２６…ストッパ
２９…規制部
Ｆｂ…ノイズフィルタ
３０…ケース
３１…受け部
３５…弾性押圧片
３７…ケース側ストッパ
４０…ホルダ
４１…高剛性部
４４…低剛性部
４６…ホルダ側ストッパ
【図１】
2016063137.tif 000003
【図２】
2016063137.tif 000004
【図３】
2016063137.tif 000005
【図４】
2016063137.tif 000006
【図５】
2016063137.tif 000007
【図６】
2016063137.tif 000008
【図７】
2016063137.tif 000009
【図８】
2016063137.tif 000010